(57)【特許請求の範囲】
【請求項１】
ロボットセルと、
前記ロボットセルの天井に設けられたロボットと、
を備え、
前記ロボットは、前記天井に設けられた基台と、第１回動軸周りに回動可能に前記基台に設けられた第１アームと、前記第１回動軸の軸方向と異なる軸方向である第２回動軸周りに回動可能に前記第１アームに設けられた第２アームと、第３回動軸周りに回動可能に前記第２アームに設けられた第３アームと、を有し、
前記ロボットは、前記第２回動軸の軸方向から見て、前記第１アーム、前記第２アーム及び前記第３アームが重なることが可能であり、
前記第２回動軸の軸方向から見て、前記第１アーム、前記第２アーム及び前記第３アームが重なるとき、前記第３アームは、前記第２アームよりも前記第１回動軸に近いことを特徴とするロボットシステム。
【請求項２】
前記ロボットセルの高さは、１，０００ｍｍ以上１，６５０ｍｍ以下であり、
前記ロボットセルの体積に対する前記ロボットの体積比率は０．０１以上０．５以下である請求項１に記載のロボットシステム。
【請求項３】
前記ロボットセルの設置面積は、６３７，５００ｍｍ２未満である請求項１または２に記載のロボットシステム。
【請求項４】
前記ロボットセルの設置面積は、５００，０００ｍｍ２以下である請求項１または２に記載のロボットシステム。
【請求項５】
前記ロボットセルの設置面積は、４００，０００ｍｍ２以下である請求項１または２に記載のロボットシステム。
【請求項６】
前記ロボットセルの体積に対する前記ロボットの体積比率は０．０１以上０．１以下である請求項１ないし５のいずれか一項に記載のロボットシステム。
【請求項７】
前記ロボットの重さは、２０ｋｇ以下である請求項１ないし５のいずれか一項に記載のロボットシステム。
【請求項８】
前記第１アームの長さは、前記第２アームの長さよりも長い請求項１ないし７のいずれか一項に記載のロボットシステム。
【請求項９】
前記第３アームは、前記第３回動軸周りに回動可能に前記第２アームに設けられた第１リンクと、前記第３回動軸の軸方向と異なる軸方向である第４回動軸周りに回動可能に前記第１リンクに設けられた第２リンクと、前記第４回動軸の軸方向と異なる軸方向である第５回動軸周りに回動可能に前記第２リンクに設けられた第３リンクと、前記第５回動軸の軸方向と異なる軸方向である第６回動軸周りに回動可能に前記第３リンクに設けられた第４リンクと、を有する請求項８に記載のロボットシステム。
【発明の詳細な説明】
【技術分野】
【０００１】
本発明は、ロボットシステムに関するものである。
【背景技術】
【０００２】
従来、ロボットアームを備えたロボットが知られている。ロボットアームは複数のアーム（アーム部材）が関節部を介して連結され、最も先端側（最も下流側）のアームには、エンドエフェクターとして、例えば、ハンドが装着される。関節部はモーターにより駆動され、その関節部の駆動により、アームが回動する。そして、ロボットは、例えば、ハンドで対象物を把持し、その対象物を所定の場所へ移動させ、組立等の所定の作業を行う。
【０００３】
このようなロボットとして、特許文献１には、垂直多関節ロボットが開示されている。特許文献１に記載のロボットでは、基台に対してハンドを、最も基端側（最も上流側）の回動軸（鉛直方向に延びる回動軸）である第１回動軸周りに１８０°異なる位置に移動させる動作は、基台に対して最も基端側のアームである第１アームを、前記第１回動軸周りに回動させることにより行う構成になっている。
【先行技術文献】
【特許文献】
【０００４】
【特許文献１】特開２０１４−４６４０１号公報
【発明の概要】
【発明が解決しようとする課題】
【０００５】
特許文献１に記載のロボットでは、ハンドを基台に対して第１回動軸周りに１８０°異なる位置に移動させる場合に、ロボットが干渉しないようにするための大きな空間を必要とする。
【０００６】
また、現在、人が作業するセルをロボットが作業するロボットセルに置き換えた生産ラインが増加している。しかし、ロボットが作業するロボットセルの大きさは、一般的に、人が作業するセルの大きさよりも大きく、単純に人が作業するセルをロボットが作業するロボットセルに置き換えたとすると生産ラインが長くなってしまうので、生産現場によっては置き換えができない場合があった。
【０００７】
さらに、ロボットが作業するロボットセルの高さが高く、複数台のロボットセルを並べた際に、人が隠れて見通しの悪い生産現場になっていた。また、ロボットが作業するロボットセルの高さが高いと、ロボットセルの重心が高くなり、振動しやすくなる。これにより、ロボットの作業精度が悪くなったり、ロボットセルが倒れたり危険性が高まるという課題があった。
【課題を解決するための手段】
【０００８】
本発明は、上述の課題の少なくとも一部を解決するためになされたものであり、以下の形態又は適用例として実現することが可能である。
【０００９】
（適用例１）本発明のロボットは、基台と、前記基台に、第１回動軸周りに回動可能に設けられた第１アームと、前記第１アームに、前記第１回動軸の軸方向と異なる軸方向である第２回動軸周りに回動可能に設けられた第２アームと、を備え、前記第２回動軸の軸方向から見て、前記第１アームと前記第２アームとのなす角度を０°にすることが可能であり、前記第２アームは、前記角度が０°の場合、前記基台が設けられた取付け面と干渉しないことを特徴とする。
【００１０】
これにより、第２アームの先端を第１回動軸周りに１８０°異なる位置に移動させる場合にロボットが干渉しないようにするための空間を小さくすることができる。
【００１１】
（適用例２）本発明のロボットは、基台と、前記基台に、第１回動軸周りに回動可能に設けられた第１アームと、前記第１アームに、前記第１回動軸の軸方向と異なる軸方向である第２回動軸周りに回動可能に設けられた第２アームと、を備え、前記第１アームの長さは、前記第２アームの長さよりも長いことを特徴とする。
【００１２】
これにより、第２アームの先端を第１回動軸周りに１８０°異なる位置に移動させる場合にロボットが干渉しないようにするための空間を小さくすることができる。
【００１３】
（適用例３）本発明のロボットは、基台と、ロボットアームと、を備え、前記ロボットアームは、前記基台に、第１回動軸周りに回動可能に設けられた第１アームと、前記第１アームに、前記第１回動軸の軸方向と異なる軸方向である第２回動軸周りに回動可能に設けられた第２アームと、を有し、前記第１アームを回動させず、前記第２アームを回動させることにより、前記ロボットアームの先端を第１位置から、前記第２回動軸の軸方向から見て前記第１アームと前記第２アームとのなす角度が０°となる状態を経て、前記第１回動軸周りに１８０°異なる第２位置に移動させることが可能であることを特徴とする。
【００１４】
これにより、ロボットアームの先端を第１位置から第２位置に移動させる場合にロボットが干渉しないようにするための空間を小さくすることができる。
【００１５】
（適用例４）本発明のロボットでは、前記ロボットアームの先端を、前記第１位置から前記第２位置に移動させる際、前記第１回動軸の軸方向から見て、前記ロボットアームの先端は、直線上を移動することが好ましい。
【００１６】
これにより、ロボットアームの先端を第１位置から第２位置に移動させる場合にロボットが干渉しないようにするための空間を小さくすることができる。
【００１７】
（適用例５）本発明のロボットでは、前記ロボットアームの先端を前記第１位置から、前記第１位置と高さが等しい第３位置に移動させ、前記第３位置から前記第２位置へ移動させることが可能であることが好ましい。
【００１８】
これにより、第１位置において上下に物体が存在する場合、第１位置に配置されているワークを、前記物体との干渉を抑制しつつ、第２位置へ移動させることができる。
【００１９】
（適用例６）本発明のロボットでは、前記ロボットアームの先端を前記第２位置から、前記第１位置と高さが等しい第３位置に移動させ、前記第３位置から前記第１位置へ移動させることが可能であることが好ましい。
【００２０】
これにより、第１位置において上下に物体が存在する場合、第２位置に配置されているワークを、前記物体との干渉を抑制しつつ、第１位置へ移動させることができる。
【００２１】
（適用例７）本発明のロボットは、基台と、前記基台に、第１回動軸周りに回動可能に設けられた第１アームと、前記第１アームに、前記第１回動軸の軸方向と異なる軸方向である第２回動軸周りに回動可能に設けられた第２アームと、を備え、前記第２回動軸の軸方向から見て、前記第１アームと前記第２アームとが重なることが可能であることを特徴とする。
【００２２】
これにより、第２アームの先端を第１回動軸周りに１８０°異なる位置に移動させる場合にロボットが干渉しないようにするための空間を小さくすることができる。
【００２３】
（適用例８）本発明のロボットでは、前記第２回動軸は、前記第１回動軸から離間していることが好ましい。
【００２４】
これにより、第１回動軸と第２回動軸とが離間している分、第２アームの先端を第１回動軸から離間した位置に移動させることができる。
【００２５】
（適用例９）本発明のロボットでは、前記第２アームに、第３回動軸周りに回動可能に設けられた第３アームを備えることが好ましい。
これにより、より複雑な動きを容易に行うことができる。
【００２６】
（適用例１０）本発明のロボットでは、前記第３回動軸の軸方向と、前記第２回動軸の軸方向とは平行であることが好ましい。
これにより、より複雑な動きを容易に行うことができる。
【００２７】
（適用例１１）本発明のロボットでは、前記第３アームの長さは、前記第２アームの長さよりも長いことが好ましい。
【００２８】
これにより、第２回動軸の軸方向から見て、第２アームと第３アームとを重ねたとき、第２アームから第３アームの先端を突出させることができる。
【００２９】
（適用例１２）本発明のロボットでは、前記第２回動軸の軸方向から見て、前記第２アームと前記第３アームとが重なることが可能であることが好ましい。
【００３０】
これにより、第２アームの先端を第１回動軸周りに１８０°異なる位置に移動させる場合にロボットが干渉しないようにするための空間を小さくすることができる。
【００３１】
（適用例１３）本発明のロボットでは、前記基台は、天井に設けられることが好ましい。
これにより、天井に設置されるロボットを提供することができる。
【００３２】
（適用例１４）本発明のロボットでは、前記第３アームは、前記第２アームに、前記第３回動軸周りに回動可能に設けられた第１リンクと、前記第１リンクに、前記第３回動軸の軸方向と異なる軸方向である第４回動軸周りに回動可能に設けられた第２リンクと、前記第２リンクに、前記第４回動軸の軸方向と異なる軸方向である第５回動軸周りに回動可能に設けられた第３リンクと、前記第３リンクに、前記第５回動軸の軸方向と異なる軸方向である第６回動軸周りに回動可能に設けられた第４リンクと、を備えることが好ましい。
これにより、より複雑な動きを容易に行うことができる。
【００３３】
（適用例１５）本発明のロボットシステムは、ロボットと、前記ロボットが設けられるロボットセルと、を有し、前記ロボットセルの高さは、１，７００ｍｍ以下であることを特徴とする。
【００３４】
これにより、ロボットセルに置き換えた場合、従来のセルの高さよりも低いため、他のセルで作業する作業者を確認できるようになる。
【００３５】
（適用例１６）本発明のロボットシステムでは、前記ロボットセルの高さは、１，０００ｍｍ以上１，６５０ｍｍ以下であることが好ましい。
これにより、ロボットセル内でロボットが動作した際の振動の影響を抑えることができる。
【００３６】
（適用例１７）本発明のロボットシステムでは、前記ロボットセルの設置面積は、６３７，５００ｍｍ2未満であることが好ましい。
これにより、生産ラインの数を増やすことができ、さらに生産ラインが長くなることを抑制することができる。
【００３７】
（適用例１８）本発明のロボットシステムでは、前記ロボットセルの設置面積は、５００，０００ｍｍ2以下であることが好ましい。
これにより、一層、生産ラインが長くなることを抑制することができる。
【００３８】
（適用例１９）本発明のロボットシステムでは、前記ロボットセルの設置面積は、４００，０００ｍｍ2以下であることが好ましい。
これにより、作業者が作業するセルとほぼ同等の設置面積、あるいは、同等以下の設置面積になるため、作業者が作業するセルからロボットセルへの置き換えを容易にすることが可能である。
【００３９】
（適用例２０）本発明のロボットシステムでは、前記ロボットセルの体積に対する前記ロボットの体積比率は０．０１以上０．５以下であることが好ましい。
これにより、従来の体積比は０．０１以下だったので、０．０１以上というように体積比を大きくとることで、ロボットセルの省スペース化を実現でき、作業の効率化が可能である。
【００４０】
（適用例２１）本発明のロボットシステムでは、前記ロボットセルの体積に対する前記ロボットの体積比率は０．０１以上０．１以下であることが好ましい。
これにより、体積比が０．５以下よりもロボットの可動範囲を広げることが可能である。
【００４１】
（適用例２２）本発明のロボットシステムでは、前記ロボットの重さは、２０ｋｇ以下であることが好ましい。
これにより、ロボットセル内でロボットが動作した際の振動の影響を抑えることができる。
【００４２】
（適用例２３）本発明のロボットシステムでは、前記ロボットは、前記ロボットセルに設けられる基台と、前記基台に、第１回動軸周りに回動可能に設けられた第１アームと、前記第１アームに、前記第１回動軸の軸方向と異なる軸方向である第２回動軸周りに回動可能に設けられた第２アームと、を備え、前記第１アームの長さは、前記第２アームの長さよりも長いことが好ましい。
これにより、ロボットセルのような狭いスペースでも効率的に作業することが可能である。
【図面の簡単な説明】
【００４３】
【図１】本発明のロボットの第１実施形態を示す斜視図。
【図２】図１に示すロボットの概略図。
【図３】図１に示すロボットの正面図。
【図４】図１に示すロボットの正面図。
【図５】図１に示すロボットの作業の際の動作を説明するための図。
【図６】図１に示すロボットの作業の際の動作を説明するための図。
【図７】図１に示すロボットの作業の際の動作を説明するための図。
【図８】本発明のロボットの第２実施形態を示す正面図。
【図９】本発明のロボットの第３実施形態を示す斜視図。
【図１０】図９に示すロボットの側面図。
【図１１】本発明のロボットの第４実施形態を示す斜視図。
【図１２】本発明のロボットの第５実施形態の動作を説明するための図。
【図１３】本発明のロボットの第６実施形態の動作を説明するための図。
【図１４】本発明のロボットの第７実施形態を示す正面図。
【図１５】本発明のロボットシステムの第８実施形態を示す斜視図。
【図１６】本発明のロボットシステムの第８実施形態を示す正面図。
【図１７】本発明のロボットシステムの第８実施形態を示す上面図。
【図１８】本発明のロボットシステムの第８実施形態を示す平面図。
【図１９】本発明のロボットシステムの第８実施形態を示す斜視図。
【発明を実施するための形態】
【００４４】
以下、本発明のロボットを添付図面に示す好適な実施形態に基づいて詳細に説明する。
＜第１実施形態＞
図１は、本発明のロボットの第１実施形態を示す斜視図である。図２は、図１に示すロボットの概略図である。図３及び図４は、それぞれ、図１に示すロボットの正面図である。図５、図６、及び図７は、それぞれ、図１に示すロボットの作業の際の動作を説明するための図である。
【００４５】
なお、以下では、説明の都合上、図１、図２、図３〜図５、図７中の上側を「上」又は「上方」、下側を「下」又は「下方」と言う（他の実施形態の図８〜図１４も同様）また、図１、図２、図３〜図５、図７中の基台側を「基端」又は「上流」、その反対側（ハンド側）を「先端」又は「下流」と言う（他の実施形態の図８〜図１４も同様）。
【００４６】
図１〜図４に示すロボット（産業用ロボット）１は、ロボット本体（本体部）１０と、ロボット本体１０（ロボット１）の作動を制御する図示しないロボット制御装置（制御部）とを備えている。このロボット１は、例えば、腕時計のような精密機器等を製造する製造工程等で用いることができる。ロボット制御装置は、ロボット本体１０（ロボット１）に内蔵されていてもよく、また、ロボット本体１０とは、別体であってもよい。また、ロボット制御装置は、例えば、ＣＰＵ（Central Processing Unit）が内蔵されたパーソナルコンピューター（ＰＣ）等で構成することができる。
【００４７】
ロボット本体１０は、基台（支持部）１１と、ロボットアーム５とを有している。ロボットアーム５は、１つのリンクを有する第１アーム（第１アーム部材）（腕部）１２と、１つのリンクを有する第２アーム（第２アーム部材）（腕部）１３と、第１リンク６１、第２リンク６２、第３リンク６３、及び第４リンク６４（４つのリンク）を有する第３アーム（第３アーム部材）（腕部）１４と、第１駆動源４０１、第２駆動源４０２、第３駆動源４０３、第４駆動源４０４、第５駆動源４０５、及び第６駆動源４０６（６つの駆動源）とを備えている。なお、第３アームの第３リンク６３及び第４リンク６４によりリストが構成され、第３アームの第４リンク６４の先端には、例えば、ハンド９１等のエンドエフェクターを着脱可能に取り付けることができるようになっている（図１参照）。すなわち、ロボット１は、基台１１と、第１アーム１２と、第２アーム１３と、第１リンク６１と、第２リンク６２と、第３リンク６３と、第４リンク６４とが基端側から先端側に向ってこの順に連結された垂直多関節（６軸）ロボットである。なお、以下では、第１アーム１２、第２アーム１３、及び第３アーム１４をそれぞれ「アーム」とも言う。また、第１リンク６１、第２リンク６２、第３リンク６３、及び第４リンク６４をそれぞれ（リンク）とも言う。また、第１駆動源４０１、第２駆動源４０２、第３駆動源４０３、第４駆動源４０４、第５駆動源４０５、及び第６駆動源４０６をそれぞれ「駆動源」とも言う。
【００４８】
図１、図２、及び図３に示すように、基台１１は、ロボット１が垂直多関節ロボットの場合、当該垂直多関節ロボットの最も上方に位置し、設置スペースの天井１０１の下面である取付け面１０２に固定される部分（取り付けられる部材）である。この固定方法としては、特に限定されず、例えば、複数本のボルトによる固定方法等を採用することができる。
【００４９】
また、基台１１の取付け面１０２への取付け箇所は、特に限定されないが、本実施形態では、基台１１の下部に設けられた板状のフランジ１１１と、基台１１の上面とのいずれでも可能なようになっている。
【００５０】
なお、基台１１の固定箇所としては、設置スペースの天井に限定されず、この他、例えば、設置スペースの壁、床、地上等が挙げられる。
【００５１】
また、基台１１には、後述する第１関節１７１が含まれていてもよく、また、含まれていなくてもよい。
【００５２】
また、第１アーム１２、第２アーム１３、第１リンク６１、第２リンク６２、第３リンク６３、及び第４リンク６４は、それぞれ、基台１１に対し独立して変位可能に支持されている。
【００５３】
図１、図２、及び図３に示すように、基台１１と第１アーム１２とは、関節（ジョイント）１７１を介して連結されている。関節１７１は、互いに連結された第１アーム１２を基台１１に対し回動可能に支持する機構を有している。これにより、第１アーム１２は、基台１１に対し、鉛直方向と平行な第１回動軸Ｏ１を中心に（第１回動軸Ｏ１周りに）回動可能となっている。第１回動軸Ｏ１は、基台１１が取り付けられた天井１０１の下面、すなわち、天井１０１の取付け面１０２の法線と一致している。また、第１回動軸Ｏ１は、ロボット１の最も上流側にある回動軸である。この第１回動軸Ｏ１回りの回動は、モーター４０１Ｍを有する第１駆動源４０１の駆動によりなされる。また、第１駆動源４０１はモーター４０１Ｍとケーブル（図示せず）によって駆動され、このモーター４０１Ｍは電気的に接続されたモータードライバー３０１を介してロボット制御装置により制御される。なお、第１駆動源４０１はモーター４０１Ｍとともに設けた減速機（図示せず）によってモーター４０１Ｍからの駆動力を伝達するように構成してもよく、また、減速機が省略されていてもよい。
【００５４】
また、第１アーム１２と第２アーム１３とは、関節（ジョイント）１７２を介して連結されている。関節１７２は、互いに連結された第１アーム１２と第２アーム１３とのうちの一方を他方に対し回動可能に支持する機構を有している。これにより、第２アーム１３は、第１アーム１２に対し、水平方向と平行な第２回動軸Ｏ２を中心に（第２回動軸Ｏ２周りに）回動可能となっている。第２回動軸Ｏ２は、第１回動軸Ｏ１と直交している。この第２回動軸Ｏ２回りの回動は、モーター４０２Ｍを有する第２駆動源４０２の駆動によりなされる。また、第２駆動源４０２はモーター４０２Ｍとケーブル（図示せず）によって駆動され、このモーター４０２Ｍは電気的に接続されたモータードライバー３０２を介してロボット制御装置により制御される。なお、第２駆動源４０２はモーター４０２Ｍとともに設けた減速機（図示せず）によってモーター４０２Ｍからの駆動力を伝達するように構成してもよく、また、減速機が省略されていてもよい。また、第２回動軸Ｏ２は、第１回動軸Ｏ１に直交する軸と平行であってもよく、また、第２回動軸Ｏ２は、第１回動軸Ｏ１と直交していなくても、軸方向が互いに異なっていればよい。
【００５５】
また、第２アーム１３と第３アーム１４の第１リンク６１とは、関節（ジョイント）１７３を介して連結されている。関節１７３は、互いに連結された第２アーム１３と第１リンク６１とのうちの一方を他方に対し回動可能に支持する機構を有している。これにより、第１リンク６１は、第２アーム１３に対して、水平方向と平行な第３回動軸Ｏ３を中心に（第３回動軸Ｏ３周りに）回動可能となっている。第３回動軸Ｏ３は、第２回動軸Ｏ２と平行である。この第３回動軸Ｏ３回りの回動は、第３駆動源４０３の駆動によりなされる。また、第３駆動源４０３は、モーター４０３Ｍとケーブル（図示せず）とによって駆動され、このモーター４０３Ｍは電気的に接続されたモータードライバー３０３を介してロボット制御装置により制御される。なお、第３駆動源４０３はモーター４０３Ｍとともに設けた減速機（図示せず）によってモーター４０３Ｍからの駆動力を伝達するように構成してもよく、また、減速機が省略されていてもよい。
【００５６】
また、第１リンク６１と第２リンク６２とは、関節（ジョイント）１７４を介して連結されている。関節１７４は、互いに連結された第１リンク６１と第２リンク６２とのうちの一方を他方に対し回動可能に支持する機構を有している。これにより、第２リンク６２は、第１リンク６１（基台１１）に対し、第１リンク６１の中心軸方向と平行な第４回動軸Ｏ４を中心に（第４回動軸Ｏ４周りに）回動可能となっている。第４回動軸Ｏ４は、第３回動軸Ｏ３と直交している。この第４回動軸Ｏ４回りの回動は、第４駆動源４０４の駆動によりなされる。また、第４駆動源４０４は、モーター４０４Ｍとケーブル（図示せず）とによって駆動され、このモーター４０４Ｍは電気的に接続されたモータードライバー３０４を介してロボット制御装置により制御される。なお、第４駆動源４０４はモーター４０４Ｍとともに設けた減速機（図示せず）によってモーター４０４Ｍからの駆動力を伝達するように構成してもよく、また、減速機が省略されていてもよい。また、第４回動軸Ｏ４は、第３回動軸Ｏ３に直交する軸と平行であってもよい、また、第４回動軸Ｏ４は、第３回動軸Ｏ３と直交していなくても、軸方向が互いに異なっていればよい。
【００５７】
また、第２リンク６２と第３リンク６３とは、関節（ジョイント）１７５を介して連結されている。関節１７５は、互いに連結された第２リンク６２と第３リンク６３との一方を他方に対し回動可能に支持する機構を有している。これにより、第３リンク６３は、第２リンク６２に対し、第２リンク６２の中心軸方向と直交する第５回動軸Ｏ５を中心に（第５回動軸Ｏ５周りに）回動可能となっている。第５回動軸Ｏ５は、第４回動軸Ｏ４と直交している。この第５回動軸Ｏ５回りの回動は、第５駆動源４０５の駆動によりなされる。また、第５駆動源４０５は、モーター４０５Ｍとケーブル（図示せず）とによって駆動され、このモーター４０５Ｍは電気的に接続されたモータードライバー３０５を介してロボット制御装置により制御される。なお、第５駆動源４０５はモーター４０５Ｍとともに設けた減速機（図示せず）によってモーター４０５Ｍからの駆動力を伝達するように構成してもよく、また、減速機が省略されていてもよい。また、第５回動軸Ｏ５は、第４回動軸Ｏ４に直交する軸と平行であってもよく、また、第５回動軸Ｏ５は、第４回動軸Ｏ４と直交していなくても、軸方向が互いに異なっていればよい。
【００５８】
また、第３リンク６３と第４リンク６４とは、関節（ジョイント）１７６を介して連結されている。関節１７６は、互いに連結された第３リンク６３と第４リンク６４との一方を他方に対し回動可能に支持する機構を有している。これにより、第４リンク６４は、第３リンク６３に対し、第６回動軸Ｏ６を中心に（第６回動軸Ｏ６周りに）回動可能となっている。第６回動軸Ｏ６は、第５回動軸Ｏ５と直交している。この第６回動軸Ｏ６回りの回動は、第６駆動源４０６の駆動によりなされる。また、第６駆動源４０６の駆動は、モーターとケーブル（図示せず）とによって駆動され、このモーター４０６Ｍは電気的に接続されたモータードライバー３０６を介してロボット制御装置により制御される。なお、第６駆動源４０６はモーター４０６Ｍとともに設けた減速機（図示せず）によってモーター４０６Ｍからの駆動力を伝達するように構成してもよく、また、減速機が省略されていてもよい。また、第５回動軸Ｏ５は、第４回動軸Ｏ４に直交する軸と平行であってもよく、また、第６回動軸Ｏ６は、第５回動軸Ｏ５に直交する軸と平行であってもよく、また、第６回動軸Ｏ６は、第５回動軸Ｏ５と直交していなくても、軸方向が互いに異なっていればよい。
【００５９】
また、第４リンク６４には、その先端部（第３リンク６３と反対側の端部）に、エンドエフェクターとして、例えば、腕時計等のような精密機器、部品等を把持するハンド９１が着脱可能に装着される。このハンド９１の駆動は、ロボット制御装置により制御される。なお、ハンド９１としては、特に限定されず、例えば、複数本の指部（フィンガー）を有する構成のものが挙げられる。そして、このロボット１は、ハンド９１で精密機器、部品等を把持したまま、アーム１２〜１４等の動作を制御することにより、当該精密機器、部品を搬送すること等の各作業を行うことができる。
【００６０】
次に、第１アーム１２と、第２アーム１３と、第３アーム１４との関係について説明するが、表現等を変え、種々の視点から説明する。また、第３アーム１４については、第３アーム１４を真っ直ぐに伸ばした状態、すなわち、第３アーム１４を最も長くした状態、換言すれば、第４回動軸Ｏ４と第６回動軸Ｏ６とが一致しているか、又は平行である状態で考えることとする。
【００６１】
まず、図３に示すように、第１アーム１２の長さＬ１は、第２アーム１３の長さＬ２よりも長く設定されている。
【００６２】
ここで、第１アーム１２の長さＬ１とは、第２回動軸Ｏ２の軸方向から見て、第２回動軸Ｏ２と、第１アーム１２を回動可能に支持する軸受部５２の図３中の左右方向に延びる中心線５２１との間の距離である。
【００６３】
また、第２アーム１３の長さＬ２とは、第２回動軸Ｏ２の軸方向から見て、第２回動軸Ｏ２と、第３回動軸Ｏ３との間の距離である。
【００６４】
また、図４に示すように、第２回動軸Ｏ２の軸方向から見て、第１アーム１２と第２アーム１３とのなす角度θを０°にすることが可能なように構成されている。すなわち、第２回動軸Ｏ２の軸方向から見て、第１アーム１２と第２アーム１３とが重なることが可能なように構成されている。
【００６５】
そして、第２アーム１３は、角度θが０°の場合、すなわち、第２回動軸Ｏ２の軸方向から見て、第１アーム１２と第２アーム１３とが重なった場合、基台１１が設けられた天井１０１の取付け面１０２と干渉しないように構成されている。
【００６６】
ここで、前記第１アーム１２と第２アーム１３とのなす角度θとは、第２回動軸Ｏ２の軸方向から見て、第２回動軸Ｏ２と第３回動軸Ｏ３とを通る直線（第２回動軸Ｏ２の軸方向から見た場合の第２アーム１３の中心軸）５１と、第１回動軸Ｏ１とのなす角度である。
【００６７】
また、第１アーム１２を回動させず、第２アーム１３を回動させることにより、第２回動軸Ｏ２の軸方向から見て角度θが０°となる状態（第１アーム１２と第２アーム１３とが重なった状態）を経て、第２アーム１３の先端を、第１回動軸Ｏ１周りに１８０°異なる位置に移動させることが可能である（図７参照）。すなわち、第１アーム１２を回動させず、第２アーム１３を回動させることにより、ロボットアーム５の先端（第３アーム１４の第４リンク６４の先端）を図７（ａ）に示す第１位置から、角度θが０°となる状態を経て、第１回動軸Ｏ１周りに１８０°異なる図７（ｅ）に示す第２位置に移動させることが可能である（図７参照）。なお、第３アーム１４の第１リンク６１、第２リンク６２、第３リンク６３、及び第４リンク６４は、それぞれ、必要に応じて回動させる。
【００６８】
また、第２アーム１３の先端を第１回動軸Ｏ１周りに１８０°異なる位置に移動させる際（ロボットアーム５の先端を第１位置から第２位置に移動させる際）は、第１回動軸Ｏ１の軸方向から見て、第２アーム１３の先端及びロボットアーム５の先端は、直線上を移動する。
【００６９】
また、第３アーム１４の長さＬ３は、第２アーム１３の長さＬ２よりも長く設定されている。
【００７０】
これにより、第２回動軸Ｏ２の軸方向から見て、第２アーム１３と第３アーム１４とを重ねたとき、第２アーム１３から第３アーム１４の先端、すなわち、第４リンク６４の先端を突出させることができる。これよって、ハンド９１が、第１アーム１２及び第２アーム１３と干渉することを防止することができる。
【００７１】
ここで、図４に示すように、第３アーム１４の長さＬ３とは、第２回動軸Ｏ２の軸方向から見て、第３回動軸Ｏ３と、第３アーム１４の先端（第４リンク６４の先端）との間の距離である。また、この場合の第３アーム１４の状態は、最も長くした状態、すなわち、第４回動軸Ｏ４と第６回動軸Ｏ６とが一致しているか、又は平行である状態、換言すれば、第３アーム１４を真っ直ぐに伸ばした状態とする。
【００７２】
また、図４に示すように、第２回動軸Ｏ２の軸方向から見て、第２アーム１３と、第３アーム１４とが重なることが可能なように構成されている。
【００７３】
すなわち、第２回動軸Ｏ２の軸方向から見て、第１アーム１２と、第２アーム１３と、第３アーム１４とが同時に重なることが可能なように構成されている。
【００７４】
このロボット１では、上記のような関係を満たすことにより、第１アーム１２を回動させず、第２アーム１３、第３アーム１４を回動させることにより、第２回動軸Ｏ２の軸方向から見て第１アーム１２と第２アーム１３とのなす角度θが０°となる状態（第１アーム１２と第２アーム１３とが重なった状態）を経て、ハンド９１（第３アーム１４の先端）を第１回動軸Ｏ１周りに１８０°異なる位置に移動させることができる。そして、この動作を用いて、効率良く、ロボット１を駆動することができ、また、ロボット１が干渉しないようにするために設ける空間を小さくすることができ、また、最後に述べるような種々の利点を有する。
【００７５】
次に、ロボット１が行う給材、除材、搬送、組立等の作業、及びその作業の際のロボット１の動作の１例について説明する。ここでは、ロボット１がベルトコンベアーにより搬送されてくる部品（ワーク）に、部品供給部に配置されている部品（ワーク）を組み込む組立作業を行う際のロボット１の動作について説明する。
【００７６】
図６に示すように、ロボット１は、ベルトコンベアー７１の近傍に位置するように、その基台１１が天井１０１に取り付けられている。ベルトコンベアー７１は、ベルト駆動、ボールねじ駆動などの直動軸でもよい。
【００７７】
図５及び図６に示すように、作業の際は、ベルトコンベアー７１により所定の部品４２が搬送される。そして、ロボット１は、ベルトコンベアー７１により搬送される部品４２に、部品供給部７２に配置されている部品４１を組み込む。
【００７８】
この際、まず、図５に示すように、ロボット１は、ハンド９１で、部品供給部７２に配置されている部品４１を把持する。
【００７９】
次に、図７（ａ）、（ｂ）、（ｃ）、（ｄ）、（ｅ）に示すように、第１アーム１２を回動させず（図６の矢印５７，５８で示す動作を行わず）、第２アーム１３、第３アーム１４を回動させること（図６の矢印５６で示す動作を行うこと）により、第２回動軸Ｏ２の軸方向から見て第１アーム１２と第２アーム１３とのなす角度θが０°となる状態（第１アーム１２と第２アーム１３とが重なった状態）（図７（ｃ）参照）を経て、ハンド９１を第１回動軸Ｏ１周りに１８０°異なる位置、すなわち、組込み部７３に移動させる。この際、第２アーム１３の先端及びハンド９１（第３アーム１４の先端）は、直線上を移動する。なお、この際、微調整として、第１アーム１２を回動させることもある。
【００８０】
そして、図５に示すように、その部品４１を、組込み部７３における部品４２に組み込む。なお、この際、微調整として、第１アーム１２を回動させることもある。以下、この動作を繰り返す。
【００８１】
このロボット１では、前記のように、第１アーム１２を回動させず、第２アーム１３を回動させることにより、第２回動軸Ｏ２の軸方向から見て第１アーム１２と第２アーム１３とのなす角度θが０°となる状態を経て、ハンド９１を第１回動軸Ｏ１周りに１８０°異なる位置に移動させることができるので、図６に示すように、ロボット１の設置スペースの幅Ｗを、従来のＷ１より小さいＷ２にすることができる。なお、Ｗ２は、例えば、Ｗ１の８０％以下である。同様に、ロボット１の設置スペースの高さ（鉛直方向の長さ）を、従来の高さより低く、具体的には、例えば、従来の高さの８０％以下にすることができる。
【００８２】
以上説明したように、このロボット１では、第１アーム１２を回動させず、第２アーム１３、第３アーム１４を回動させることにより、第２回動軸Ｏ２の軸方向から見て第１アーム１２と第２アーム１３とのなす角度θが０°となる状態（第１アーム１２と第２アーム１３とが重なった状態）を経て、ハンド９１（第３アーム１４の先端）を第１回動軸Ｏ１周りに１８０°異なる位置に移動させることができる。
【００８３】
これにより、ロボット１が干渉しないようにするための空間を小さくすることができる。
【００８４】
すなわち、まずは、天井１０１を低くすることができ、これにより、ロボット１の重心の位置が低くなり、ロボット１の動作による反力により発生する振動を抑制することができる。
【００８５】
また、ロボット１の幅方向（生産ラインの方向）の稼働領域を小さくすることができ、これにより、ロボット１を生産ラインに沿って、単位長さ当たりに多く配置することができ、生産ラインを短縮することができる。
【００８６】
また、ハンド９１を移動させる場合、ロボット１の動きを少なくすることができる。例えば、第１アーム１２を回動させないか、又は、第１アーム１２の回動角度を小さくすることができ、これにより、タクトタイムを短縮することができ、作業効率を向上させることができる。
【００８７】
＜第２実施形態＞
図８は、本発明のロボットの第２実施形態を示す正面図である。
【００８８】
以下、第２実施形態について説明するが、前述した第１実施形態との相違点を中心に説明し、同様の事項はその説明を省略する。
【００８９】
図８に示すように、第２実施形態のロボット１Ａでは、第２アーム１３の長さＬ２は、第１アーム１２の長さＬ１よりも長く設定されている。これにより、ロボット１Ａは、ハンド９１をより遠くに移動させることができ、また、ハンド９１の上下動作を長くすることができる。
【００９０】
以上のような第２実施形態によっても、前述した第１実施形態と同様の効果を発揮することができる。
【００９１】
＜第３実施形態＞
図９は、本発明のロボットの第３実施形態を示す斜視図である。図１０は、図９に示すロボットの側面図である。なお、図９及び図１０では、ハンド９１の図示は、省略されている。
【００９２】
以下、第３実施形態について説明するが、前述した第１実施形態との相違点を中心に説明し、同様の事項はその説明を省略する。
【００９３】
図９及び図１０に示すように、第３実施形態のロボット１Ｂでは、第１アーム１２及び第２アーム１３は、それぞれ、屈曲しており、その一部が、基台１１よりも水平方向（図１０中左側）に突出している。
【００９４】
また、第３アーム１４の第２リンク６２は、互いに対向する１対の支持部６２１，６２２を有し、この支持部６２１，６２２の間において、第３リンク６３が連結されている。
【００９５】
以上のような第３実施形態によっても、前述した第１実施形態と同様の効果を発揮することができる。
【００９６】
＜第４実施形態＞
図１１は、本発明のロボットの第４実施形態を示す斜視図である。なお、図１１では、ハンド９１の図示は、省略されている。
【００９７】
以下、第４実施形態について説明するが、前述した第１実施形態との相違点を中心に説明し、同様の事項はその説明を省略する。
【００９８】
図１１に示すように、第４実施形態のロボット１Ｃでは、第１アーム１２は、互いに対向する１対の支持部１２１，１２２を有し、この支持部１２１，１２２の間において、第２アーム１３が連結されている。また、支持部１２１，１２２は、それぞれ、基台１１よりも水平方向（図１１中左右方向）に突出している。
【００９９】
同様に、第２アーム１３は、互いに対向する１対の支持部１３１，１３２を有し、この支持部１２１，１２２の間において、第３アーム１４が連結されている。
【０１００】
また、第３アーム１４の第２リンク６２は、互いに対向する１対の支持部６２１，６２２を有し、この支持部６２１，６２２の間において、第３リンク６３が連結されている。
【０１０１】
以上のような第４実施形態によっても、前述した第１実施形態と同様の効果を発揮することができる。
【０１０２】
＜第５実施形態＞
図１２は、本発明のロボットの第５実施形態の動作を説明するための図である。
【０１０３】
以下、第５実施形態について説明するが、前述した第１実施形態との相違点を中心に説明し、同様の事項はその説明を省略する。また、この第５実施形態は、第１実施形態のロボット１を用いて説明するが、第２〜第４実施形態のロボット１Ａ〜１Ｃ及び後述する第７実施形態のロボット１Ｄでも同様に適用することができる。
【０１０４】
第５実施形態では、ロボット１は、ロボットアーム５の先端を第１位置から、第１位置と高さ（鉛直方向の位置）が等しい第３位置に移動させ、第３位置から第２位置へ移動させることが可能であり、その逆の動作、すなわち、ロボットアーム５の先端を第２位置から第３位置に移動させ、第３位置から第１位置へ移動させることも可能である。そして、図１２に示すように、ロボット１は、この機能を使用し、棚７６に配置されているワーク４６を取り出し、台７７に搬送し、その台７７上に配置する作業を行う。
【０１０５】
なお、台７７は、ロボット１の第１回動軸Ｏ１を中心にして、棚７６から１８０°回動した位置に配置されている。
【０１０６】
また、ワーク４６の形状は、特に限定されないが、本実施形態では、板状をなしている。
【０１０７】
また、棚７６は、ワーク４６の上下に位置している部分が、ロボット１が棚７６からワーク４６を取り出す際の障害物となる。なお、本実施形態では、ロボット１の動作の際に障害物となるものして、棚を例に挙げて説明するが、前記障害物は、棚に限らず、例えば、装置等、ワーク４６の上下に位置するあらゆるものを想定することができる。
【０１０８】
この作業では、まず、図１２（ａ）に示すように、ロボット１は、棚７６に配置されているワーク４６をハンド９１で把持し、上方に持ち上げる。この図１２（ａ）に示すロボットアーム５の先端の位置が、第１位置である。
【０１０９】
次に、図１２（ｂ）に示すように、ロボット１は、ワーク４６（ロボットアーム５の先端）の高さ（鉛直方向の位置）を一定に保ちつつ、ワーク４６を水平方向に移動させ、そのワーク４６を棚７６から取り出す。この際は、ロボット１は、第１アーム１２は、回動させず、第２アーム１３と、第３アーム１４の第１リンク６１及び第３リンク６３とを回動させる。このため、第１回動軸Ｏ１の軸方向から見て、第２アーム１３の先端及びロボットアーム５の先端は、直線上を移動する。なお、必要に応じて、第１アーム１２、第３アーム１４の第２リンク６２、第４リンク６４のうちの任意のものを回動させて微調整を行ってもよい。この図１２（ｂ）に示すロボットアーム５の先端の位置が、第３位置である。第１位置と第３位置とは、高さ（鉛直方向の位置）が等しい。
【０１１０】
次に、図１２（ｃ）に示すように、ロボット１は、ワーク４６を台７７に搬送し、その台７７上に配置する。この際は、ロボット１は、第１アーム１２は、回動させず、第２アーム１３と、第３アーム１４の第１リンク６１及び第３リンク６３とを回動させる。このため、第１回動軸Ｏ１の軸方向から見て、第２アーム１３の先端及びロボットアーム５の先端は、直線上を移動する。なお、必要に応じて、第１アーム１２、第３アーム１４の第２リンク６２、第４リンク６４のうちの任意のものを回動させて微調整を行ってもよい。この図１２（ｃ）に示すロボットアーム５の先端の位置が、第２位置である。第２位置と、第１位置及び第３位置とは、高さが等しくてもよく、また、異なっていてもよい。
【０１１１】
また、ロボット１は、前記と逆の動作、すなわち、台７７に配置されているワーク４６を、棚７６に搬送し、その棚７６に配置する作業を行うこともできる。以下、その動作を説明する。
【０１１２】
この作業では、まず、図１２（ｃ）に示すように、ロボット１は、台７７上に配置されているワーク４６をハンド９１で把持する。
【０１１３】
次に、図１２（ｂ）に示すように、ロボット１は、ワーク４６を棚７６の近傍に搬送する。この際は、ロボット１は、第１アーム１２は、回動させず、第２アーム１３と、第３アーム１４の第１リンク６１及び第３リンク６３とを回動させる。このため、第１回動軸Ｏ１の軸方向から見て、第２アーム１３の先端及びロボットアーム５の先端は、直線上を移動する。なお、必要に応じて、第１アーム１２、第３アーム１４の第２リンク６２、第４リンク６４のうちの任意のものを回動させて微調整を行ってもよい。
【０１１４】
次に、図１２（ａ）に示すように、ロボット１は、ワーク４６（ロボットアーム５の先端）の高さ（鉛直方向の位置）を一定に保ちつつ、ワーク４６を水平方向に移動させ、そのワーク４６を棚７６内に移動させる。この際は、ロボット１は、第１アーム１２は、回動させず、第２アーム１３と、第３アーム１４の第１リンク６１及び第３リンク６３とを回動させる。このため、第１回動軸Ｏ１の軸方向から見て、第２アーム１３の先端及びロボットアーム５の先端は、直線上を移動する。なお、必要に応じて、第１アーム１２、第３アーム１４の第２リンク６２、第４リンク６４のうちの任意のものを回動させて微調整を行ってもよい。
次に、ロボット１は、ワーク４６を下降させて放し、棚７６に配置する。
【０１１５】
以上説明したように、このロボット１では、棚７６との干渉を抑制しつつ、棚７６からワーク４６を取り出したり、また、棚７６にワーク４６を配置したりすることができる。
【０１１６】
また、ロボットアーム５の先端を、第１回動軸Ｏ１を回動させることなく、第１回動軸Ｏ１の位置と、第１回動軸Ｏ１から離間した遠方位置との間の広い範囲に移動させることができ、これにより、図１２（ｃ）に示すように、ワーク４６を第１回動軸Ｏ１の近傍から遠方までの広い範囲に搬送することができる。
【０１１７】
また、第１アーム１２を回動させずに、ロボットアーム５の先端を第１位置と第２位置との一方から他方に移動させることができるので、ロボット１の設置スペースを小さくすることができる。例えば、ワーク４６が、基板、パネル等の長い（大きい）ものである場合に、そのワーク４６の大きさにより、ロボット１の設置スペースの大きさに影響がでてしまうことを抑制することができる。
【０１１８】
＜第６実施形態＞
図１３は、本発明のロボットの第６実施形態の動作を説明するための図である。
【０１１９】
以下、第６実施形態について説明するが、前述した第１実施形態との相違点を中心に説明し、同様の事項はその説明を省略する。また、この第６実施形態は、第１実施形態のロボット１を用いて説明するが、第２〜第４実施形態のロボット１Ａ〜１Ｃ及び後述する第７実施形態のロボット１Ｄでも同様に適用することができる。
【０１２０】
図１３（ａ）に示すように、第６実施形態では、ロボット１は、パレット７８に配置されているワーク４７を、棚７６に搬送し、その棚７６に配置する作業を行う。
【０１２１】
なお、パレット７８は、ロボット１の第１回動軸Ｏ１を中心にして、棚７６から１８０°回動した位置に配置されている。
【０１２２】
この作業では、まず、図１３（ａ）に示すように、ロボット１は、パレット７８に配置されているワーク４７をハンド９１で把持する。
【０１２３】
次に、前記第５実施形態と同様に、ロボット１は、第１アーム１２を回動させずに、ワーク４７を棚７６の近傍に搬送し、棚７６内に移動させ、ワーク４６を下降させて放し、棚７６に配置する。
【０１２４】
ここで、従来のロボットでは、パレット７８の第１回動軸Ｏ１よりも棚７６側の領域Ｒ１に配置されているワーク４７を搬送する場合は、第１アームを回動させず、一方、棚７６と反対側の領域Ｒ２に配置されているワーク４７を搬送する場合は、第１アームを１８０°回動させる。このため、従来のロボットでは、図１３（ｂ）に示すように、パレット７８の領域Ｒ１と領域Ｒ２とで、ワーク４７の向きを１８０°変える必要がある。又は、従来のロボットでは、パレット７８の領域Ｒ１と領域Ｒ２とで、ワーク４７の向きを同一にする場合は、パレット７８の領域Ｒ２に配置されているワーク４７を搬送するとき、先端側のアーム（リンク）を１８０°回動させ、ワーク４７の向きを元に戻す必要がある。
【０１２５】
これに対し、このロボット１では、パレット７８の領域Ｒ１とＲ２とのいずれに配置されているワーク４７を搬送する場合でも、第１アーム１２を回動させないので、前記従来のロボットのような複雑な動作や制御を行う必要がなく、動作及び制御を簡素化することができる。
【０１２６】
＜第７実施形態＞
図１４は、本発明のロボットの第７実施形態を示す正面図である。
【０１２７】
以下、第７実施形態について説明するが、前述した第１実施形態との相違点を中心に説明し、同様の事項はその説明を省略する。
【０１２８】
図１４に示すように、第７実施形態のロボット１Ｄでは、第１アーム１２が第１回動軸Ｏ１（鉛直方向）に対して傾斜している。このため、第２回動軸Ｏ２は、第１回動軸Ｏ１から距離Ｌ４だけ離間している。
【０１２９】
このロボット１Ｄでは、第２回動軸Ｏ２と第１回動軸Ｏ１とが離間していない場合に対し、第２アーム１３の先端を第１回動軸Ｏ１から距離Ｌ４だけさらに離間した位置に移動させることができる、すなわち、ロボットアーム５の先端を第１回動軸Ｏ１から距離Ｌ４だけさらに離間した位置に移動させることができる。
【０１３０】
以上のような第７実施形態によっても、前述した第１実施形態と同様の効果を発揮することができる。
【０１３１】
＜第８実施形態＞
図１５は、本発明のロボットシステムの第８実施形態を示す斜視図である。図１６は、本発明のロボットシステムの第８実施形態を示す正面図である。図１７は、本発明のロボットシステムの第８実施形態を示す上面図である。図１８は、本発明のロボットシステムの第８実施形態を示す平面図である。図１９は、本発明のロボットシステムの第８実施形態を示す斜視図である。なお、図１５〜図１９中には、本実施形態のロボットセル６とその大きさを比較できるよう従来のロボットセル７を参考図示している。また、同様に身長１６５ｃｍ、両肘幅６０ｃｍの作業者も参考図示している。また、ロボットシステムとは、ロボットと、ロボットが設けられたロボットセルとを含むものである。
【０１３２】
以下、第８実施形態について説明する。この第８実施形態は、第３実施形態のロボット１Ｂを用いて説明するが、ロボット１Ｂに限定するものではなく、ロボットセル６よりもサイズが小さいロボットであれば同様に適用することができる。
【０１３３】
図１５にロボットセル６の隣にロボットセル７を配置した場合の図を示す。ロボットセル７は、図１６及び図１７に示すように、高さが１，８６０ｍｍ、横幅７５０ｍｍ、奥行き８５０ｍｍである。したがって、ロボットセル７の設置面積は６３７，５００ｍｍ2であり、ロボットセル７の体積は、１，１８５，７５０，０００ｍｍ3である。
【０１３４】
一方、ロボットセル６は、高さが１，６００ｍｍ、横幅６００ｍｍ、奥行き６００ｍｍである。したがって、ロボットセル６の設置面積は３６０，０００ｍｍ2であり、ロボットセル６のセルの体積は、５７６，０００，０００ｍｍ3である。
【０１３５】
図１８に示すように、作業者が作業するセルの一部をロボットセル７に置き換えた場合、ロボットセル７は作業者が作業するセルよりも大きいので、生産ラインが長くなる。一方、作業者が作業するセルの一部をロボットセル６に置き換えた場合、ロボットセル６は作業者が作業するセルと同等の大きさなので、生産ラインが長くなることを抑制することができる。
【０１３６】
具体的には、ロボットセルの設置面積を、ロボットセル７の設置面積である６３７，５００ｍｍ2未満にすることで、生産ラインの数を増やすことができ、さらに生産ラインが長くなることを抑制することができる。
【０１３７】
また、５００，０００ｍｍ2以下にすることにより、一層、生産ラインが長くなることを抑制することができる。
【０１３８】
さらに、４００，０００ｍｍ2以下にすることにより、作業者が作業するセルとほぼ同等の設置面積、あるいは、同等以下の設置面積になるため、作業者が作業するセルからロボットセルへの置き換えを容易にすることが可能である。
【０１３９】
また、ロボットセル６の高さは、１，７００ｍｍ以下である。これにより、ロボットセル６に置き換えた場合、ロボットセル７の高さよりも低いため、図１９に示すように、他のセルで作業する作業者を確認できるようになる。
【０１４０】
さらに、ロボットセル６の高さは、１，０００ｍｍ以上１，６５０ｍｍ以下であることが好ましい。これにより、ロボットセル６内でロボット１Ｂが動作した際の振動の影響を抑制することができる。
【０１４１】
ロボットセル６では、ロボットセル６の体積に対するロボット１Ｂの体積比率（ロボット１Ｂの体積／ロボットセル６の体積）は０．０１以上０．５以下であることが好ましい。例えば、ロボット１Ｂの体積は７，０００，０００ｍｍ3であり、ロボットセル６の体積は５７６，０００，０００ｍｍ3とすると、（ロボット１Ｂの体積）／（ロボットセル６の体積）は０．０１以上となる。これにより、従来の体積比は０．０１以下だったので、０．０１以上というように体積比を大きくとることで、ロボットセル６の省スペース化を実現でき、作業の効率化が可能である。
【０１４２】
また、ロボットセル６では、ロボットセル６の体積に対するロボット１Ｂの体積比率（ロボット１Ｂの体積／ロボットセル６の体積）は０．０１以上０．１以下である。これにより、体積比が０．５以下よりもロボット１Ｂの可動範囲を広げることが可能である。
【０１４３】
ロボットセル６では、ロボット１Ｂの重さは、２０ｋｇ以下であることが好ましい。これにより、ロボットセル６内でロボット１Ｂが動作した際の振動の影響を抑えることができる。
【０１４４】
ロボットセル６では、ロボット１Ｂは、ロボットセル６に設けられる基台１１と、基台１１に、第１回動軸Ｏ１周りに回動可能に設けられた第１アーム１２と、第１アーム１２に、第１回動軸Ｏ１の軸方向と異なる軸方向である第２回動軸Ｏ２周りに回動可能に設けられた第２アーム１３と、を備え、第１アーム１２の長さは、第２アーム１３の長さよりも長いことが好ましい。これにより、ロボットセル６のような狭いスペースでも効率的に作業することが可能である。
【０１４５】
以上、本発明のロボット及びロボットシステムを、図示の実施形態に基づいて説明したが、本発明はこれに限定されるものではなく、各部の構成は、同様の機能を有する任意の構成のものに置換することができる。また、他の任意の構成物が付加されていてもよい。
【０１４６】
また、本発明は、前記各実施形態のうちの、任意の２以上の構成（特徴）を組み合わせたものであってもよい。
【０１４７】
また、前記実施形態では、ロボットアームの回動軸の数は、６つであるが、本発明では、これに限定されず、ロボットアームの回動軸の数は、例えば、２つ、３つ、４つ、５つ、又は７つ以上でもよい。すなわち、前記実施形態では、リンクの数は、６つであるが、本発明では、これに限定されず、リンクの数は、例えば、２つ、３つ、４つ、５つ、又は７つ以上でもよい。
【０１４８】
具体的には、前記実施形態では、第１アームは、１つのリンクで構成されているが、本発明では、これに限定されず、第１アームは、例えば、複数のリンクで構成されていてもよい。
【０１４９】
また、前記実施形態では、第２アームは、１つのリンクで構成されているが、本発明では、これに限定されず、第２アームは、例えば、複数のリンクで構成されていてもよい。
【０１５０】
また、前記実施形態では、第３アームは、４つのリンクで構成されているが、本発明では、これに限定されず、第３アームは、例えば、１つ、２つ、３つ、又は５つ以上のリンクで構成されていてもよい。
【０１５１】
また、本発明では、第３アームが省略されていてもよい。この場合は、例えば、第２アームの先端に、エンドエフェクターが着脱可能に装着される。
【０１５２】
また、前記実施形態では、ロボットアームの数は、１つであるが、本発明では、これに限定されず、ロボットアームの数は、例えば、２つ以上でもよい。すなわち、ロボット（ロボット本体）は、例えば、双腕ロボット等の複数腕ロボットであってもよい。
【０１５３】
また、本発明では、ロボット（ロボット本体）は、他の形式のロボットであってもよい。具体例としては、例えば、脚部を有する脚式歩行（走行）ロボット等が挙げられる。
【符号の説明】
【０１５４】
１，１Ａ，１Ｂ，１Ｃ，１Ｄ…ロボット  ５…ロボットアーム  ６，７…ロボットセル  １０…ロボット本体  １１…基台  １２，１３，１４…アーム  ４１，４２…部品  ４６，４７…ワーク  ５１…直線  ５２…軸受部  ５６，５７，５８…矢印  ６１，６２，６３，６４…リンク  ７１…ベルトコンベアー  ７２…部品供給部  ７３…組込み部  ７６…棚  ７７…台  ７８…パレット  ９１…ハンド  １０１…天井  １０２…取付け面  １１１…フランジ  １２１，１２２，１３１，１３２…支持部  １７１，１７２，１７３，１７４，１７５，１７６…関節  ３０１，３０２，３０３，３０４，３０５，３０６…モータードライバー  ４０１，４０２，４０３，４０４，４０５，４０６…駆動源  ４０１Ｍ，４０２Ｍ，４０３Ｍ，４０４Ｍ，４０５Ｍ，４０６Ｍ…モーター  ５２１…中心線  ６２１，６２２…支持部  Ｏ１，Ｏ２，Ｏ３，Ｏ４，Ｏ５，Ｏ６…回動軸  Ｒ１，Ｒ２…領域。
【図１】
0006300706.tif 000002
【図２】
0006300706.tif 000003
【図３】
0006300706.tif 000004
【図４】
0006300706.tif 000005
【図５】
0006300706.tif 000006
【図６】
0006300706.tif 000007
【図７】
0006300706.tif 000008
【図８】
0006300706.tif 000009
【図９】
0006300706.tif 000010
【図１０】
0006300706.tif 000011
【図１１】
0006300706.tif 000012
【図１２】
0006300706.tif 000013
【図１３】
0006300706.tif 000014
【図１４】
0006300706.tif 000015
【図１５】
0006300706.tif 000016
【図１６】
0006300706.tif 000017
【図１７】
0006300706.tif 000018
【図１８】
0006300706.tif 000019
【図１９】
0006300706.tif 000020